(57)【要約】【課題】  子供は遊び心が多く、遊びの中で自然を体験できないものかと工夫し、遊びながら水中生物の状態を体感することのできる水槽遊具を発明するに至ったものである。【解決手段】  水槽５と、水槽５を支える台１とを備え、台は外側に階段３０を備え、且つ子供が出入りするトンネル４と、トンネルの途中から水槽内に達する展望室１６と、水槽内の水中生物Ｆに対する生命維持装置７とを備え、水槽を構成する外筒５１と、展望室を構成する水槽覗部６とに透明体を用い、遊びながら水槽内の水中生物Ｆを内外より観察し得るようにした。  台３は、固定段式台３Ａと、可変段式台３Ｂと、分割式台２とに構成することができるし、水槽５を台１の上に設ける独立式水槽５Ａに構成することもできる。【選択図】        図１
2005160372.tif 000002
【特許請求の範囲】
【請求項１】
水槽（５）と、水槽（５）を支える台（１）とを備え、台（１）は少なくとも子供が出入りするトンネル（４）と、トンネル（４）の途中から水槽（５）の内部に達する展望室（１６）と、水槽（５）内の水中生物（Ｆ）に対する生命維持装置（７）とを備え、水槽（５）を構成する外筒（５１）と、展望室（１６）を構成する水槽覗部（６）とに透明体を用い、遊びながら水槽（５）内の水中生物（Ｆ）を内外より観察し得るようにしたことを特徴とする水槽遊具。
【請求項２】
台（１）は外側に階段（３０）を備えている階段式台（３）であり、階段式台（３）は全階段（３０）を一体成形した固定段式台（３Ａ）と、階段（３０）の一部を必要に応じて増減し得る可変段式台（３Ｂ）との何れか一方であることを特徴とする請求項１記載の水槽遊具。
【請求項３】
台（１）は少なくともニ分割以上に分離製作して組立てる分割式台（２）であり、分割式台（２）はトンネル（４）の長手方向に添って分離するトンネル分割式台（２Ａ）と、トンネル（４）を中心に配置して分離する非トンネル分割式台（２Ｂ）との何れか一方あることを特徴とする請求項１または２記載の水槽遊具。
【請求項４】
水槽（５）は台（１）の上に設ける独立式水槽（５Ａ）であり、独立式水槽（５Ａ）は底壁（５２）に外筒（５１）と展望口（１４）と水槽覗部（６）とを備えていることを特徴とする請求項１，２，３の水槽遊具。
【請求項５】
台（１）は内部に収納室（１０）を備え、収納室（１０）に少なくとも生命維持装置（７）の主要部を備えていることを特徴とする請求項１，２，３または４記載の水槽遊具。
【請求項６】
収納室（１０）に水槽（５）の水抜部（８）を備えていることを特徴とする請求項５記載の水槽遊具。
【発明の詳細な説明】
【技術分野】
【０００１】
この本発明は、子供が遊びながら水中の自然を体全体で感ずることが可能で、子供の好奇心を刺激し、心身の形成に寄与する水槽遊具に関する。
【背景技術】
【０００２】
水中生物（魚介類や海藻）を観察する施設として、一般的に水族館が知られている。水族館は大型水槽に多種多様の水中生物を入れ、小型水槽に水中生物を種類別に入れ、それらに適切な説明を付することで、入場者に水中生物を観察させたり、水中生物の知識を与え、興味を抱かせている。
【０００３】
一方、淡水魚や海水魚、或は熱帯魚等は、一般家庭において観賞魚（愛玩用、インテリア用も含まれる）として飼育されたり、小学校等において教育用として飼育されている。
近年、魚料理や活魚を提供する飲食店、寿司店、割烹、レストラン等において、展示用として飼育されている。
【特許文献１】特開平１０−２２９７８０号公報
【発明の開示】
【発明が解決しようとする課題】
【０００４】
しかしながら、水族館では、単に魚の種類を紹介したり、魚類の生態を観察する為の施設であるため、魚の知識を与えたり興味を抱かせるのみである。そのために、子供の主な楽しみは、珍しい魚やその泳ぎ方等の生態を見ることに限られ、大きな水槽の中で泳ぐ魚を見る程度の実感しか得られなかった。
観賞魚は愛玩用やインテリア用とされているにすぎないので、自然を十分に体感できない問題点があった。
そこで本発明は上記の事情に鑑みてなされたものであり、その目的は、子供は遊び心が多く、遊びの中で自然を体験できないものかと工夫し、遊びながら水中生物の状態を体感することのできる水槽遊具を発明するに至ったものである。
【課題を解決するための手段】
【０００５】
本発明の水槽遊具は、請求項１として、水槽と、水槽を支える台とを備え、台は少なくとも子供が出入りするトンネルと、トンネルの途中から水槽内に達する展望室と、水槽内の水中生物に対する生命維持装置とを備え、水槽を構成する外筒と、展望室を構成する水槽覗部とに透明体を用い、遊びながら水槽内の水中生物を内外より観察し得るようにしたこと特徴とする。
請求項２は、請求項１の水槽遊具において、台は外側に段部を備えている階段式台であり、階段式台は、全階段を一体成形した固定段式台と、段部の一部を必要に応じて増減し得る可変段式台との何れか一方であることを特徴とする。
請求項３は、請求項１，２の水槽遊具において、台は少なくともニ分割以上に分離製作して組立てる分割式台であり、分割式台はトンネルに添って分離するトンネル分割式台と、トンネルを中心に配置して分離する非トンネル分割式台との何れか一方あることを特徴とする。
請求項４は、請求項１，２，３の水槽遊具において、水槽は台の上に設ける独立式水槽であり、独立式水槽は底壁に外筒と展望口と水槽覗部とを備えていることを特徴とする。
請求項５は、請求項１，２，３，４の水槽遊具において、台は内部に収納室を備え、収納室に少なくとも生命維持装置の主要部を備えていることを特徴とする。
請求項６は、請求項５の水槽遊具において、収納室に水槽の水抜部を備えていることを特徴とする。
【０００６】
ここで水槽とは、台に直接備えるものと、台に載置する独立式水槽とを言い、水槽内に淡水や人工海水等を蓄え、水中生物の淡水魚や海水魚、熱帯魚，冷水魚等を遊泳自在に収容し、或は海草を配置するものである。
ここで台とは、水槽を支え、且つ子供が腹ばい状態や中腰状態で出入りすることのできるトンネルを備えているものを言い、トンネルとは、貫通状態にあるもの、途中から分岐するもの、それらを複合したもの等を言い、子供とは、幼児、児童、小学校低学年までを言う。
ここで展望室とは、トンネル内での子供の起立を可能にし、子供の起立状態で水槽内の水中生物を展望観察できる空間で、水の流入を防いだものを言い、透明体とは、展望室の水槽覗部と水槽の外筒とを形成するガラスやアクリル樹脂を言う。
【０００７】
ここで階段式台とは、子供が登り降りすることのできる段部を有する台を言い、固定段式台とは、第一段部から最終段部までを一体に形成するものを言い、可変段式台とは、子供の身長に応じて段部を増減できるものを言い、分割式台とは、階段式台を含む総ての台を、トンネルに沿ってニ分割以上に分割するトンネル分割式台と、トンネルを中心にしてニ分割以上に分割する非トンネル分割台を言う。
ここで生命維持装置とは、水槽内の水を循環浄化し、少なくとも水中生物の魚類を観賞できる程度の透明度に維持し、水中生物を適宜期間に渡り生育維持するものを言う。
ここで収納室とは、台内に設ける空間の総てを言い、特に、生命維持装置の主要部や水槽の水抜部を備える空間、或は水中生物の餌を保管したりする空間を言う。
【発明の効果】
【０００８】
本発明による水槽遊具は上記構造のとおりであるから、次に記載する効果を奏する。
請求項１の水槽遊具は、台にトンネルを備えているので、遊具として利用し得る。しかもトンネルの途中に水槽内の展望室を備えているの、子供は遊びながら水槽内を遊泳する多種類の水中生物（魚類）を、まるで海底や海中にいるような感覚で快適に観賞できる。特に、展望室から覗いた時、恰も魚になった如く海底風景や海中風景を幻想的に視覚できて、神秘的な体感できる。その結果、海中にいる神秘的な楽しさを子供に与えることができる。
請求項２の水槽遊具は、請求項１の特徴に加えて、台の段部を利用して昇り降りの遊びができるし、段部を昇って水槽内を近くから観察し得る。これを幼稚園に備えれば、子供（幼児）は遊びながら水中生物を体感することが可能となる。
【０００９】
請求項３の水槽遊具は、請求項１，２の特徴に加えて、台はニ分割以上に分割可能であるから、コンパクトに輸送したり保管できる。同じ形状に分割することにより、量産性が向上し、安価に提供し得る。
請求項４の水槽遊具は、請求項１，２，３の特徴に加えて、水槽が独立式水槽であるから、台の構造（分割式台、階段式台等）に左右されることなく用いることができる。また、台から取外し、水中生物を観察したり触れることも可能である。
請求項５の水槽遊具は、請求項１，２，３，４の特徴に加えて、台内に収納室を備えているので、水槽支持台としての役目以外にも活用できる。特に、収納室内に生命維持装置の主要部を備えることで、生命維持装置を外部に設ける場合に比較して外観が向上する。
請求項６の水槽遊具は、請求項５の特徴に加えて、収納室に水槽の水抜部を備えているので、体裁が良く、しかも水槽内の水を簡単容易に交換できる。
【発明を実施するための最良の形態】
【００１０】
本発明による水槽遊具の最良形態を図１に基づき説明すれば、水槽５と、水槽５を支える台１とを備え、水槽５は上向きに開口し、開放側に上蓋１５を嵌脱自在に嵌合し、台１は設置面より上向きに先細となる台形を成し、少なくとも子供が這った状態や中腰状態で出入りすることのできるトンネル４と、トンネル４の途中から水槽５内に達する展望室１６と、器物等を収める収納室１０と、水槽５に対する生命維持装置７と、水槽５の水抜部８とを備え、水槽５を構成する外筒５１と、展望室１６を構成する水槽覗部６とに透明体を用い、水槽５内の水中生物Ｆを内外より観察し得るようにしている。
【実施例１】
【００１１】
本発明による水槽遊具の第一実施形態を図１と図２に基づき説明すると、台１として平面円形の略円錐形台１Ａを用い、トンネル４として一方向に通り抜けている貫通式トンネル４Ａを設け、展望室１６はトンネル４の途中から上方に貫通する展望口１４と、展望口１４に連続する水槽覗部６とから成り、水槽覗部６として円筒状水槽覗部６Ａ、又は天井壁６ａを有する有天水槽覗部６Ｅを用い、台１の上側の展望口１４側に内周部嵌合溝１ａを、外周側に外周部嵌合溝１ｂを設け、内周部嵌合溝１ａに水槽覗部６の下端部を、外周部嵌合溝１ｂに水槽外筒５１の下端部を挿入し、シール材で水密状態に取付け、上部が開放する水密構造の水槽５を形成し、水槽５内に淡水や人口海水等の水Ｗを蓄え、水中生物Ｆの魚等を選択的に遊泳させ、水槽５の開口側を上蓋１５で塞いでいる。
この略円錐形台１Ａを室内に設置する場合、貫通式トンネル４Ａの出入口４１，４２の何れからでも出入りし得るように設置する。
【実施例２】
【００１２】
台１とトンネル４の第二実施形態を、第一実施形態と相違する点について説明すれば、例えば台１として円錐形台１Ａの外に、図３−１の如く平面楕円形の楕円錐形台１Ｂ、図３−２の如く平面多角形の多角錐形台１Ｃ、図３−３の如く平面の前後又は左右が非対象の非対象錐形台１Ｄ等を用い、トンネル４として貫通式トンネル４Ａの外に、内部から分散する分岐式トンネル４Ｂ、貫通式トンネル４Ａと分岐式トンネル４Ｂとを兼ねた複合式トンネル４Ｃ等を用い、貫通式トンネル４Ａに出入口４１，４２を、分岐式トンネル４Ｂと複合式トンネル４Ｃに出入口４１，４２，４３，４４，４ｎを設け、２箇所以上からの出入りを可能にするものである。
非対象錐形台１Ｄにあっては、非対象錐形台１Ｄの直線側を建物の壁側に寄せて配置できる。
【実施例３】
【００１３】
台の第三実施形態を、第一及び第二実施形態と相違する点について説明すれば、台１として階段式台３を用いるものであり、階段式台３は図４−１の如く外側に段部３０を２〜８段程度備え、第一段部３１から最終段部３ｎまでの全階段３０を一体に形成する固定段式台３Ａと、図４−２の如く第一段部３１から最終段部３ｎまでの一部を着脱自在にし、必要に応じて増減する可変段式台３Ｂとがあり、その内、可変段式台３Ｂは、一段毎に形成することも、数段づつ形成することも可能であるし、下側の数段のみを組立式にすることも可能である。
固定段式台３Ａや可変段式台３Ｂの段部３０は、子供が安全に登り降り可能な蹴込み高さと踏み幅を有する状態で形成することが好ましいが、総ての段部３０を同様に形成する必要はなく、例えば図４−３，４−４の如く一部に登り降り可能部を形成することも可能である。
【実施例４】
【００１４】
台の第四実施形態を説明すれば、台１として少なくともニ分割以上に分離した分割式台２を用いるものであり、分割式台２の内、トンネル４の形成方向に添って分割するトンネル分割式台２Ａにおいて、例えば図５−１の如く貫通式トンネル４Ａに添って第一分割台２１と第二分割台２２とに分離形成するトンネル二分割式、図５−２の如く分岐式トンネル４Ｂに添って第一分割台２１と第二分割台２２と第三分割台２３とに分離形成するトンネル三分割式、或は図５−３の如く第一分割台２１と第二分割台２２と第三分割台２３と第四分割台２４とに分離形成するトンネル四分割式、更に第Ｎ分割台２ｎまで多分割することも可能である。
このトンネル分割式台２Ａを用いる場合、後記する連結体９を介して上側に水槽５を形成するか、独立式水槽５Ａを用いる必要がある。
【実施例５】
【００１５】
台の第五実施形態を、第四実施形態と相違する点について説明すると、分割式台２の内、トンネル４を中心に配置して分割する非トンネル分割式台２Ｂにおいて、例えば図６−１の如く貫通式トンネル４Ａに直交するように第一分割台２１と第二分割台２２とに分離形成する非トンネル二分割式、図６−２の如く分岐式トンネル４Ｂの出入口４１〜４３を中心に配置するように、第一分割台２１と第二分割台２２と第三分割台２３とに分離形成する非トンネル三分割式、或は図６−３の如く貫縦横に交差する通式トンネル４Ａの出入口４１〜４４を中心に配置するように、第一分割台２１と第二分割台２２と第三分割台２３と第四分割台２４とに分離形成する非トンネル四分割式、更に、複合式トンネル４Ｃを中心に配置するように第Ｎ分割台２ｎまで多分割することも可能である。
【実施例６】
【００１６】
本発明による水槽遊具の内、水槽５を台１と切離して形成する独立式水槽５Ａを示すもので、その独立式水槽５Ａを第一実施形態を図７−１に基づいて説明すれば、底壁５２の一部にトンネル４に連通する展望口１４を設け、底壁５２の外周側に外筒５１を水密状態に取付けると共に、展望口１４側に水槽覗部６を水密状態に取付けるものである。
独立式水槽５Ａの第二実施形態を図７−２に基づいて説明すれば、底壁５２の一部に展望口１４を設け、底壁５２の外周側に外周部嵌合溝５ｂを、展望口１４側に内周部嵌合溝５ａを設け、内周部嵌合溝５ａに水槽覗部６の下端部を、外周部嵌合溝５ｂに外筒５１の下端部を水密に取付けている。
【実施例７】
【００１７】
本発明による水槽遊具の内、展望室１６を構成する水槽覗部６の形状例を図８に基づき説明すると、（イ）は円筒状水槽覗部６Ａを、（ロ）は楕円状水槽覗部６Ｂを、（ハ）は多角状水槽覗部６Ｃを、（ニ）はドーム状水槽覗部６Ｄを示すものであり、ドーム状水槽覗部６Ｄを除く他の水槽覗部６Ａ，６Ｂ，６Ｃの上端部を天井壁６ａで塞いだ有天水槽覗部６Ｅとすることも可能である。
何れにしても、水Ｗが入り込まないようにしておく必要がある。
【実施例８】
【００１８】
本発明による水槽遊具の内、トンネル分割式台２Ａと非トンネル分割式台２Ｂとに用いる連結体９であり、連結体９は図９の如く分割式台２の集合部の上側に載置する底板９１に展望口１４と連通する口孔９２を設け、底板９１の上側外周に外周側嵌合部９ｂを、下側外周に台嵌合部９３を設け、且つ口孔９２に添って上側に内周側嵌合部９ａを設け、外周側嵌合部９ｂに水槽外筒５１を、内周側嵌合部９ａに水槽覗部６を水密状態で取付ける。
【実施例９】
【００１９】
本発明による水槽遊具の内、生命維持装置７に関するものであり、生命維持装置７は図１０の如く水槽５内の水を濾過（殺菌浄化）するフィルター７１と、循環ポンプ７２と、水槽５内へ向けて空気を強制的に送給するエアポンプ７３と、水温を検出する温度センサー７４と、水を加温／冷却するペルチェ７５と、これらをコンピュータ管理する電気制御部７６とを備え、その主要部を収納室１０に納め、循環ポンプ７２に接続する吸込ホース７ａと吐出ホース７ｂ、及びエアポンプ７３に接続する送気ホース７ｃを水槽５内まで導き、温度センサー７４とペルチェ７５を水槽５内に配置し、水槽５内の水Ｗを適温に保ち、且つ浄化しながら循環し、水中生物Ｆの健康維持と、透明度を維持する。
この生命維持装置７は点検口から整備調整できるようになっている。
【実施例１０】
【００２０】
本発明による水槽遊具の内、水槽５に蓄える水Ｗの入れ替えに用いる水抜部８に関するものであり、水抜部８は図１１の如く水槽５より収納室１０に至る排水管８ａと、排水管８ａの途中に介在するコック８ｂとを備え、水槽５内の水Ｗを交換する際、トンネル４内から操作したり、台１の外側から操作するものである。
何れにしても、収納室１０に鍵付きの扉１１等を備え、子供による誤操作を不能にすることが望ましい。
【００２１】
本発明による水槽遊具を幼稚園の遊戯室等に配置し、水槽５内に淡水や人工海水等の水Ｗを入れ、水Ｗの中に日本近海から熱帯に至るまでに生息する水中生物Ｆの魚等を選択的に遊泳させれば、まるで海底や水中にいるような感覚で観賞でき、恰も魚になって海底を散歩しているようになる。その結果、子供はトンネル４内を行き交う間に、トンネル４内から魚類を観賞できる。即ち、遊びながら美しい魚類に囲まれた環境を提供し得る。
【産業上の利用可能性】
【００２２】
水槽５の水槽高さｔを約１００ｃｍ、水槽長さｈを約２００ｃｍに形成し、台１の設置面から水槽５の上端までの遊具高さＴを約１４００ｃｍ、台１の設置長さＨを約１４００ｃｍにすれば、外筒５１が水垢等で汚れた場合、大人によって簡単に掃除し、常に良好な状態に維持することができる。この水槽５内の適所に、擬岩や珊瑚等を配置することも可能である。
外筒５１と水槽覗部６は、透明アクリル樹脂製の筒材から切り取るか、透明アクリル樹脂板を輪状に丸め、両端部を付き合わせ、その繋ぎ目を接着剤等で強力に固着して形成する。
【００２３】
可変段式台３Ｂにあっては、例えば上段部３２と下段部３３とに跨って固定板を取付けるか、上段部３２の下側に係止部１７を、下段部３３の上側に被係止部１８を設け、係止部１７と被係止部１８とを相互に係止するすることで、段部３０のずれを防ぐ。
また、トンネル分割式台２Ａと非トンネル分割式台２Ｂにあっては、例えば隣接する第一分割台２１と第二分割台２２とに跨って固定板を取付けるか、第一分割台２１と第二分割台２２の一側に係止部を、他側に被係止部を設け、係止部と被係止部とを相互に係止することで、段部３０のずれを防ぐ。
特に、トンネル分割式台２Ａにあっては、トンネル４を構成する例えば第一分割台２１と第二分割台２２との下側を廊下４５で繋ぐと、台１の支持力が向上するし、素足で通ることもできる。
何れにしても、台１は、水Ｗを蓄えた水槽５を支持し得るものであれば、その形状は自由である。
【００２４】
分割式台２にあっては、図１２の如く金属材から成る骨組１２を用い、骨組１２で主に水槽５を支持し得るようにし、骨組１２に分割台２１〜２ｎを取付け、外形を保つようにすることもできる。
階段式台３の固定段式台３Ａと可変段式台３Ｂを、分割式台２のトンネル分割式台２Ａと非トンネル分割式台２Ｂとに形成することも可能である。
上蓋１５は一体形成に限定されるものではなく、第一蓋部１５ａと第二蓋部１５ｂとに分割することも可能であるし、分割した第一蓋部１５ａと第二蓋部１５ｂとを図４−３の如く蝶番１５ｃで連結し、一方を開閉自在とすることも可能である。
【００２５】
トンネル分割式台２Ａと非トンネル分割式台２Ｂの分割台２１〜２ｎ、或は階段式台３の段部３０を色別にすると、子供の色彩感覚が向上するし、美感が向上する。また、大型の台１や複数のトンネル４を備えた台１にあっては、トンネル４の数カ所に展望室１６を設けることも可能である。
トンネル４は、子供の大きさに合わせて設けることが望ましいが、例えば幼児用、幼稚園用、小学生低学年用に分類し、幼稚園用にあっては高さ６０ｃm程度のアーチ状に形成する。
台１と水槽５と水槽覗部６の形状、及びトンネル４の配置は実施形態に限定されるものではなく、発明の目的の範囲内で自由に変更可能である。
【図面の簡単な説明】
【００２６】
【図１】本発明による水槽遊具の代表的な構造を示す縦断面図である。
【図２】台の第一実施形態（円錐形台）を示す平面図である。
【図３−１】台の第二実施形態の内、楕円錐形台を示す平面図である。
【図３−２】第二実施形態の内、多角錐形台を示す平面図である。
【図３−３】第二実施形態の内、非対象錐形台を示す平面図である。
【図４−１】台の第三実施形態の内、階段式台（固定段式台）を示す一部切欠正面図である。
【図４−２】第三実施形態の内、階段式台（可変段式台）を示す一部分離状態の縦断面図である。
【図４−３】階段式台の斜視図である。
【図４−４】同じ階段式台の斜視図である。
【図５−１】台の第四実施形態の内、分割式台（トンネル分割式台）における二分割例を示す横断面である。
【図５−２】第四実施形態の内、分割式台（トンネル分割式台）における三分割例を示す横断面である。
【図５−３】第四実施形態の内、分割式台（トンネル分割式台）における四分割例を示す横断面である。
【図６−１】台の第五実施形態の内、分割式台（非トンネル分割式台）における二分割例を示す横断面である。
【図６−２】第五実施形態の内、分割式台（非トンネル分割式台）における三分割例を示す横断面である。
【図６−３】第五実施形態の内、分割式台（非トンネル分割式台）における四分割例を示す横断面である。
【図７−１】独立式水槽の第一実施形態を示す一部切欠斜視図である。
【図７−２】独立式水槽の第二実施形態を示す縦断面図である。
【図８】水槽覗部の実施形態を示すもので、その内、（イ）は円筒状水槽覗部の一部切欠斜視図、（ロ）は楕円状水槽覗部の一部切欠斜視図、（ハ）は多角状水槽覗部の一部切欠斜視図、（ニ）はドーム状水槽覗部の斜視図である。
【図９】連結体の実施形態を示す縦断面図である。
【図１０】生命維持装置の実施形態を示すブロック線図である。
【図１１】水抜部の実施形態を示す要部縦断面図である。
【図１２】骨組を用いた台の構成例を示す斜視図である。
【符号の説明】
【００２７】
１  台、１Ａ  円錐形台、１Ｂ  楕円錐形台、１Ｃ  多角錐形台、１Ｄ  非対象錐形台
１ａ  内周部嵌合溝、１ｂ  外周部嵌合溝
２  分割式台、２Ａ  トンネル分割式台、２Ｂ  非トンネル分割式台
２１  第一分割台、２２  第二分割台、２３  第三分割台、２４  第四分割台
２ｎ  第Ｎ分割台
３  階段式台、３Ａ  固定段式台、３Ｂ  可変段式台
３０  段部、３１  第一段部、３２  上段部、３３  下段部、３ｎ  最終段部
４  トンネル、４Ａ  貫通式トンネル、４Ｂ  分岐式トンネル、４Ｃ  複合式トンネル
１４  展望口、４１，４２，４３，４４，４ｎ  出入口、４５  廊下
５  水槽、５Ａ  独立式水槽、５ａ  内周部嵌合溝、５ｂ  外周部嵌合溝
５１  外筒、５２  底壁
１６  展望室
６  水槽覗部、６ａ  天井壁
６Ａ  円筒状水槽覗部、６Ｂ  楕円状水槽覗部、６Ｃ  多角状水槽覗部
６Ｄ  ドーム状水槽覗部、６Ｅ  有天展望室
７  生命維持装置
７ａ  吸込ホース、７ｂ  吐出ホース、７ｃ  送気ホース
７１  フィルター、７２  循環ポンプ、７３  エアポンプ、７４  温度センサー
７５  ペルチェ、７６  電気制御部
８  水抜部、８ａ  排水管、８ｂ  コック
９  連結体、９ａ  内周側嵌合部、９ｂ  外周側嵌合部
９１  底板、９２  口孔、９３  台嵌合部
１０  収納室、１１  扉
１２  骨組
１５  上蓋、１５ａ  第一蓋部、１５ｂ  第二蓋部、１５ｃ  蝶番
１７  係止部、１８  被係止部
Ｗ  水、Ｆ  水中生物（魚等）
Ｔ  台の設置面から水槽上端までの遊具高さ、ｔ  水槽高さ
Ｈ  台の設置長さ、ｈ  水槽長さ
【図１】
2005160372.tif 000003
【図２】
2005160372.tif 000004
【図３−１】
2005160372.tif 000005
【図３−２】
2005160372.tif 000006
【図３−３】
2005160372.tif 000007
【図４−１】
2005160372.tif 000008
【図４−２】
2005160372.tif 000009
【図４−３】
2005160372.tif 000010
【図４−４】
2005160372.tif 000011
【図５−１】
2005160372.tif 000012
【図５−２】
2005160372.tif 000013
【図５−３】
2005160372.tif 000014
【図６−１】
2005160372.tif 000015
【図６−２】
2005160372.tif 000016
【図６−３】
2005160372.tif 000017
【図７−１】
2005160372.tif 000018
【図７−２】
2005160372.tif 000019
【図８】
2005160372.tif 000020
【図９】
2005160372.tif 000021
【図１０】
2005160372.tif 000022
【図１１】
2005160372.tif 000023
【図１２】
2005160372.tif 000024